(57)【要約】【課題】放送予定番組が中止となった場合にその代替えとして放送される予備番組を録画予約して録画する。【解決手段】携帯端末１００は、放送予定番組に代えて放送される予備番組の時間帯およびチャンネルを指定した録画予約を受け付けて記憶する予約処理部２０４と、ＥＰＧ（電子番組ガイド）を取得するＥＰＧ取得部２０１と、取得したＥＰＧにおいて予備番組が放送されるように変更されたか否か監視するＥＰＧ監視部２０２と、予備番組が放送される場合に録画予約に従って録画機器に録画を指示する録画制御部２０５と、を備える。【選択図】図３
2009105671.tif 000002
【特許請求の範囲】
【請求項１】
放送予定番組に代えて放送される予備番組の時間帯およびチャンネルを指定した録画予約を受け付けて記憶する予約処理手段と、
電子番組ガイドを取得する取得手段と、
前記取得した電子番組ガイドにおいて前記予備番組が放送されるように変更されたか否か監視する監視手段と、
前記予備番組が放送される場合に前記録画予約に従って録画機器に録画を指示する録画制御手段と、
を備える携帯端末。
【請求項２】
ネットワークを介して通信する通信手段をさらに備えることを特徴とする請求項１に記載の携帯端末。
【請求項３】
前記録画制御手段は、前記放送予定番組の時間帯に複数の予備番組が対応する場合であって、前記複数の予備番組のうち録画予約された予備番組が放送される場合には、該予備番組を録画し、他の録画予約されていない予備番組は録画せず、前記録画予約された予備番組が放送されない場合には、前記放送予定番組の全ての時間帯にわたって録画しない請求項１又は２に記載の携帯端末。
【請求項４】
前記電子番組ガイドから予備番組を検出して予備番組表を作成する予備番組検出手段をさらに備える請求項１又は２に記載の携帯端末。
【請求項５】
前記予備番組表を表示して録画予約する番組をユーザに選択させる予備番組選択手段をさらに備える請求項４に記載の携帯端末。
【請求項６】
前記予備番組選択手段は、前記電子番組ガイドに地域を示す情報が含まれる場合、前記ネットワークを介して前記地域の天気情報を取得し、対応する番組の情報とともに表示する請求項２に記載の携帯端末。
【請求項７】
前記予約処理手段は、番組タイトルが指定されたキーワードに合致する予備番組の時間帯およびチャンネルを前記電子番組ガイドから抽出し、録画予約として記憶する請求項１又は２に記載の携帯端末。
【請求項８】
前記録画予約された予備番組が放送される場合に、ディスプレイ装置またはその他の表示装置によりユーザに通知し、または、振動または匂いの発生によりユーザに通知する通知手段をさらに備える請求項１又は２に記載の携帯端末。
【請求項９】
前記電子番組ガイドに含まれる予備番組の番組情報を色分けして表示する電子番組ガイド表示手段をさらに備える請求項１又は２に記載の携帯端末。
【請求項１０】
前記電子番組ガイドに含まれる予備番組の番組情報を色分けして表示する電子番組ガイド表示手段をさらに備え、
前記電子番組ガイド表示手段は、前記電子番組ガイドに地域を示す情報が含まれる場合、前記ネットワークを介して前記地域の天気情報を取得し、対応する番組の情報とともに表示する請求項２に記載の携帯端末。
【請求項１１】
放送予定番組に代えて放送される予備番組の時間帯およびチャンネルを指定した録画予約を受け付けて記憶する予約処理手段と、
電子番組ガイドを取得する取得手段と、
前記電子番組ガイドから予備番組を検出して予備番組表を作成する予備番組検出手段と、
前記予備番組表を表示して録画予約する番組をユーザに選択させる予備番組選択手段と、
を備える携帯端末。
【請求項１２】
放送予定番組に代えて放送される予備番組の時間帯およびチャンネルを指定した録画予約を受け付けて記憶する予約処理手段と、
電子番組ガイドを取得する取得手段と、
前記取得した電子番組ガイドにおいて前記予備番組が放送されるように変更されたか否か監視する監視手段と、
前記予備番組が放送される場合に前記録画予約に従って録画機器に録画を指示する録画制御手段と、
を備える録画機器。
【請求項１３】
録画機器と携帯端末とがネットワークまたは近距離無線を介して接続された録画システムであって、
前記録画機器は、
放送予定番組に代えて放送される予備番組の時間帯およびチャンネルを指定した録画予約を受け付けて記憶する予約処理手段と、
電子番組ガイドを取得する取得手段と、
前記取得した電子番組ガイドにおいて前記予備番組が放送されるように変更されたか否か監視する監視手段と、
前記予備番組が放送される場合に前記録画予約に従って録画機器に録画を指示する録画制御手段と、
を備え、
前記携帯端末は、ユーザによって入力された予備番組の時間帯およびチャンネルを前記録画機器の予約処理手段に送信する送信手段を備える録画システム。
【請求項１４】
前記監視手段は、前記予備番組が放送される場合に前記携帯端末に通知し、
前記携帯端末は、前記通知を受信すると前記予備番組が放送されることを表示する請求項１３に記載の録画システム。
【請求項１５】
携帯端末の動作方法であって、
放送予定番組に代えて放送される予備番組の時間帯およびチャンネルを指定した録画予約を受け付けて記憶する過程と、
電子番組ガイドを取得する過程と、
前記取得した電子番組ガイドにおいて前記予備番組が放送されるように変更されたか否か監視する過程と、
前記予備番組が放送される場合に前記録画予約に従って録画機器に録画を指示する過程と、
を有する方法。
【請求項１６】
録画機器の動作方法であって、
放送予定番組に代えて放送される予備番組の時間帯およびチャンネルを指定した録画予約を受け付けて記憶する過程と、
電子番組ガイドを取得する過程と、
前記取得した電子番組ガイドにおいて前記予備番組が放送されるように変更されたか否か監視する過程と、
前記予備番組が放送される場合に前記録画予約に従って録画機器に録画を指示する過程と、
を有する方法。
【請求項１７】
携帯端末のコンピュータに、
放送予定番組に代えて放送される予備番組の時間帯およびチャンネルを指定した録画予約を受け付けて記憶する処理と、
電子番組ガイドを取得する処理と、
前記取得した電子番組ガイドにおいて前記予備番組が放送されるように変更されたか否か監視する処理と、
前記予備番組が放送される場合に前記録画予約に従って録画機器に録画を指示する処理と、
を実行させるプログラム。
【請求項１８】
録画機器のコンピュータに、
放送予定番組に代えて放送される予備番組の時間帯およびチャンネルを指定した録画予約を受け付けて記憶する処理と、
電子番組ガイドを取得する処理と、
前記取得した電子番組ガイドにおいて前記予備番組が放送されるように変更されたか否か監視する処理と、
前記予備番組が放送される場合に前記録画予約に従って録画機器に録画を指示する処理と、
を実行させるプログラム。
【発明の詳細な説明】
【技術分野】
【０００１】
本発明は、放送されるテレビ番組を録画予約して録画するための携帯端末、録画機器、録画システム、方法、プログラムに関し、より詳しくは、当初の放送予定のテレビ番組（以下「放送予定番組」という。）が中止となった場合に、その代替えとして放送される番組（以下「予備番組」という。）を録画予約して録画するための携帯端末、録画機器、録画システム、方法、プログラムに関する。
【背景技術】
【０００２】
放送予定のテレビ番組の番組表は、新聞、雑誌などのテレビ番組欄のみならず、ＥＰＧ（Electronic Program Guide（電子番組ガイド））としても提供されている。ユーザは、ＥＰＧから好みの番組を見つけて視聴し、必要に応じて録画予約することができる。しかし、テレビ番組の中にはＥＧＰの通りに放送されずに別の番組に変更されるものがある。例えば、放送予定番組が野球中継である場合、雨天により野球中継が中止されると予備番組が放送される。実際に放送予定番組が中止される場合には、中止が決まった後に放送予定番組が予備番組に変更されたＥＰＧが提供される。
【０００３】
なお、特許文献１には、タイマ録画予約を設定した任意の番組の放送日時が変更あるいは放送中止されても、その変更された放送日時もしくは放送中止に対応して録画処理を実行する技術が記載されている。また、特許文献２には、予定番組が予定通り放送されないときの代替番組のジャンルを指定しておくと、番組スケジュールに変更があり、かつ指定されたジャンルに該当する番組ＩＤが検出されれば、そのジャンルの番組の録画を実行する技術が記載されている。
【特許文献１】特開２０００−０５９７４２号公報
【特許文献２】特開２００１−１６９２５３号公報
【発明の開示】
【発明が解決しようとする課題】
【０００４】
上記の従来技術は、特定の予備番組を指定して録画する技術を開示するものではない。さらに、野球中継を含め、放送中止が決定されるのは放送開始の予定時刻の直前である場合が多く、録画すべきかどうかをユーザが事前に把握するのは難しい。
また、現在では、ＰＶＲ（Personal Video Recorder（パーソナルビデオレコーダー））と呼ばれ、大容量のハードディスクを内蔵して長時間の録画が可能な録画機器が普及し、キーワード予約（番組タイトルが指定されたキーワードに合致する番組をＥＰＧから検索して録画予約）、シリーズ番組予約（一定期間にわたって所定の時間帯に連続して行われる番組を録画予約）等の録画予約が行われている。これらの機能を用いてユーザがＰＶＲに録画予約すると、ＰＶＲは放送開始時刻まで通電しているが待機状態となる。このため、例えば、放送予定番組が急に中止となり予備番組に変更された結果、その予備番組が、キーワード予約された内容によれば録画されるべき番組であったとしても、ＰＶＲは待機状態ではＥＧＰが変更されたことを認識できず、録画することができなかった。
【課題を解決するための手段】
【０００５】
本発明は、放送予定番組に代えて放送される予備番組の時間帯およびチャンネルを指定した録画予約を受け付けて記憶する予約処理手段と、電子番組ガイドを取得する取得手段と、前記取得した電子番組ガイドにおいて前記予備番組が放送されるように変更されたか否か監視する監視手段と、前記予備番組が放送される場合に前記録画予約に従って録画機器に録画を指示する録画制御手段と、を備える携帯端末である。
また、本発明は、放送予定番組に代えて放送される予備番組の時間帯およびチャンネルを指定した録画予約を受け付けて記憶する予約処理手段と、電子番組ガイドを取得する取得手段と、前記取得した電子番組ガイドにおいて前記予備番組が放送されるように変更されたか否か監視する監視手段と、前記予備番組が放送される場合に前記録画予約に従って録画機器に録画を指示する録画制御手段と、を備える録画機器である。
【０００６】
本発明による携帯端末では、まず、予約処理手段が、放送予定番組に代えて放送される予備番組の時間帯およびチャンネルを指定した録画予約を受け付けて記憶する。そして、取得手段が電子番組ガイドを取得すると、監視手段はその電子番組ガイドにおいて予備番組が放送されるように変更されたか否か監視し、その結果、予備番組が放送される場合に、録画制御手段は録画予約に従って録画機器に録画を指示する。従って、本発明による携帯端末は、時間帯およびチャンネルを指定した予備番組の録画予約を受け付け、予備番組が放送される場合に録画を行うことができる。録画機器が同様の構成を備える場合の動作も同様である。
【０００７】
また、本発明は、上記の携帯端末において、ネットワークを介して通信する通信手段をさらに備えることを特徴とするものである。
携帯端末は、望ましくは、携帯通信網やＷ−ＬＡＮ（無線ＬＡＮ、ワイヤレス・ローカル・エリア・ネットワーク）などによる通信を行なうための通信手段を備える。
【０００８】
また、本発明は、上記の携帯端末において、前記録画制御手段は、前記放送予定番組の時間帯に複数の予備番組が対応する場合であって、前記複数の予備番組のうち録画予約された予備番組が放送される場合には、該予備番組を録画し、他の録画予約されていない予備番組は録画せず、前記録画予約された予備番組が放送されない場合には、前記放送予定番組の全ての時間帯にわたって録画しないことを特徴とするものである。
【０００９】
また、本発明は、上記の携帯端末において、前記電子番組ガイドから予備番組を検出して予備番組表を作成する予備番組検出手段をさらに備えることを特徴とするものである。
【００１０】
また、本発明は、上記の携帯端末において、前記予備番組表を表示して録画予約する番組をユーザに選択させる予備番組選択手段をさらに備えることを特徴とするものである。
【００１１】
また、本発明は、上記の携帯端末において、前記予備番組選択手段は、前記電子番組ガイドに地域を示す情報が含まれる場合、前記ネットワークを介して前記地域の天気情報を取得し、対応する番組の情報とともに表示することを特徴とするものである。
【００１２】
また、本発明は、上記の携帯端末において、前記予約処理手段は、番組タイトルが指定されたキーワードに合致する予備番組の時間帯およびチャンネルを前記電子番組ガイドから抽出し、録画予約として記憶することを特徴とするものである。
【００１３】
また、本発明は、上記の携帯端末において、前記録画予約された予備番組が放送される場合に、ディスプレイ装置またはその他の表示装置によりユーザに通知し、または、振動または匂いの発生によりユーザに通知する通知手段をさらに備えることを特徴とするものである。
ここで、その他の表示装置とは、例えばＬＥＤ（発光ダイオード）などを用いて光による表示を行なう装置である。
【００１４】
また、本発明は、上記の携帯端末において、前記電子番組ガイドに含まれる予備番組の番組情報を色分けして表示する電子番組ガイド表示手段をさらに備えることを特徴とするものである。
【００１５】
また、本発明は、上記の携帯端末において、前記電子番組ガイドに含まれる予備番組の番組情報を色分けして表示する電子番組ガイド表示手段をさらに備え、前記電子番組ガイド表示手段は、前記電子番組ガイドに地域を示す情報が含まれる場合、前記ネットワークを介して前記地域の天気情報を取得し、対応する番組の情報とともに表示することを特徴とするものである。
【００１６】
また、本発明は、放送予定番組に代えて放送される予備番組の時間帯およびチャンネルを指定した録画予約を受け付けて記憶する予約処理手段と、電子番組ガイドを取得する取得手段と、前記電子番組ガイドから予備番組を検出して予備番組表を作成する予備番組検出手段と、前記予備番組表を表示して録画予約する番組をユーザに選択させる予備番組選択手段と、を備えることを特徴とする携帯端末である。
【００１７】
また、本発明は、放送予定番組に代えて放送される予備番組の時間帯およびチャンネルを指定した録画予約を受け付けて記憶する予約処理手段と、電子番組ガイドを取得する取得手段と、前記取得した電子番組ガイドにおいて前記予備番組が放送されるように変更されたか否か監視する監視手段と、前記予備番組が放送される場合に前記録画予約に従って録画機器に録画を指示する録画制御手段とを備えることを特徴とする録画機器である。
【００１８】
また、本発明は、録画機器と携帯端末とがネットワークまたは近距離無線を介して接続された録画システムであって、前記録画機器は、放送予定番組に代えて放送される予備番組の時間帯およびチャンネルを指定した録画予約を受け付けて記憶する予約処理手段と、電子番組ガイドを取得する取得手段と、前記取得した電子番組ガイドにおいて前記予備番組が放送されるように変更されたか否か監視する監視手段と、前記予備番組が放送される場合に前記録画予約に従って録画機器に録画を指示する録画制御手段と、を備え、前記携帯端末は、ユーザによって入力された予備番組の時間帯およびチャンネルを前記録画機器の予約処理手段に送信する送信手段を備える録画システムである。
また、本発明は、上記の録画システムにおいて、前記監視手段は、前記予備番組が放送される場合に前記携帯端末に通知し、前記携帯端末は、前記通知を受信すると前記予備番組が放送されることを表示することを特徴とするものである。
【００１９】
また、本発明は、携帯端末の動作方法であって、放送予定番組に代えて放送される予備番組の時間帯およびチャンネルを指定した録画予約を受け付けて記憶する過程と、電子番組ガイドを取得する過程と、前記取得した電子番組ガイドにおいて前記予備番組が放送されるように変更されたか否か監視する過程と、前記予備番組が放送される場合に前記録画予約に従って録画機器に録画を指示する過程と、を有する方法である。
また、本発明は、録画機器の動作方法であって、放送予定番組に代えて放送される予備番組の時間帯およびチャンネルを指定した録画予約を受け付けて記憶する過程と、電子番組ガイドを取得する過程と、前記取得した電子番組ガイドにおいて前記予備番組が放送されるように変更されたか否か監視する過程と、前記予備番組が放送される場合に前記録画予約に従って録画機器に録画を指示する過程と、を有する方法である。
【００２０】
また、本発明は、携帯端末のコンピュータに、放送予定番組に代えて放送される予備番組の時間帯およびチャンネルを指定した録画予約を受け付けて記憶する処理と、電子番組ガイドを取得する処理と、前記取得した電子番組ガイドにおいて前記予備番組が放送されるように変更されたか否か監視する処理と、前記予備番組が放送される場合に前記録画予約に従って録画機器に録画を指示する処理と、を実行させるプログラムである。
また、本発明は、録画機器のコンピュータに、放送予定番組に代えて放送される予備番組の時間帯およびチャンネルを指定した録画予約を受け付けて記憶する処理と、電子番組ガイドを取得する処理と、前記取得した電子番組ガイドにおいて前記予備番組が放送されるように変更されたか否か監視する処理と、前記予備番組が放送される場合に前記録画予約に従って録画機器に録画を指示する処理と、を実行させるプログラムである。
【発明の効果】
【００２１】
本発明では、予備番組が録画予約されている場合、ＥＰＧの変更を監視し、予備番組が放送される場合に録画を実行する。時間帯を指定して録画予約できるので自分の好きな予備番組だけを予約することができる。
また、携帯電話機を用いて録画予約する場合、携帯電話用に放送電波で提供されるＥＰＧは現在から５時間先までの番組しか表示されない仕様となっている。したがって、そのＥＰＧの中から録画予約する番組を選択する場合、選択可能な範囲が限られているが、本発明は時間帯を指定して録画予約する場合には指定可能な範囲に制限はなく、また、新聞の番組欄、または、Ｗｅｂサーバから提供されるＥＰＧを見て録画予約することも可能である。
また、ＥＰＧに天気情報を重ねて表示することにより、放送予定番組が中止となり予備番組が放送される期待度を把握することができる。
【発明を実施するための最良の形態】
【００２２】
［第１の実施形態］
図１は、本発明による録画システムの構成を示す図である。例えば、携帯端末１００は、携帯電話機において一般的な通話、電子メール、Ｗｅｂアクセス等のための構成に加えて、本発明による録画管理のための構成を備える。しかし、本発明は携帯電話機に限定せず、各種の機器に搭載することができる。携帯端末１００は、ネットワーク７００を介して家庭内に設置された録画機器３００と通信を行う。ネットワークは、例えば、固定通信網、携帯電話網、近距離無線通信網である。録画機器３００は、例えば、家庭用ＰＣ（パーソナルコンピュータ）またはサーバ、ＨＤＤ（ハードディスクドライブ）レコーダ、ＶＴＲ（ビデオテープレコーダ）であって、以下で説明する構成を有する。なお、ユーザが携帯端末１００を所持して録画機器３００の近くにいる場合など、携帯端末１００と録画機器３００との間で近距離通信が可能であれば、図１に示すように、ネットワークを経由せずに通信してもよい。
また、携帯端末１００は、ネットワーク７００を介して各種情報を提供するＷｅｂサーバ５００にアクセスし、情報を取得する。
録画機器３００は、携帯端末１００からの指示に従ってテレビ番組の録画に関する処理を実行し、処理結果を携帯端末１００に通知する。
【００２３】
次に、図２を参照して携帯端末１００の外観を説明した後、図３を参照して携帯端末１００の構成を説明する。
図２は、携帯端末の外観図である。本実施形態では、本発明による携帯端末の機能をクラムシェルタイプ（折り畳み構造）の携帯電話機に実装した例を説明する。図２（ａ）は、この携帯電話機を開いた状態で入力操作用のキーが設けられている側を表わし、図２（ｂ）は、その背面を表わす。
図２（ａ）の上部のスピーカ１１７、下部のマイク１１６は通話に用いられる。
図２（ａ）の操作部１０８には、カーソルキー１０８１、決定キー１０８２、テンキー，＊，＃キー１０８３が含まれる。これらのキーは、通話先の電話番号入力、電子メールの文字入力、メニュー選択、機能選択等に使用される。
図２（ａ）の主表示部１１１、図２（ｂ）の副表示部１１２は、画像、文字等を表示する表示装置である。主表示部１１１は、操作部１０８による操作に応じて電子メール、画像、メニュー画面、機能設定画面等が表示される。副表示部１１２は主表示部１１１の背面に設けられ、主表示部１１１より表示領域が小さいが、携帯端末１００を折り畳んだ状態でもユーザが見ることができる位置に設けられており、折り畳んだ状態でユーザに情報を通知する表示装置として用いられる。
図２（ａ）の副カメラ１１０はテレビ電話機能のためのカメラであり、図２（ｂ）の主カメラ１０９はデジタルカメラ機能のためのカメラである。図２（ｂ）のフラッシュ１０９１は、主カメラ１０９を用いて暗い所等で撮像する場合に使用される。
【００２４】
次に、図３を参照して携帯端末１００の構成を説明する。図３は、第１の実施形態による携帯端末の構成を示すブロック図である。
無線部１０２は、アンテナ１０１が受信する受信信号をベースバンドの受信信号に変換して通信制御部１０３に出力する。また、無線部１０２は通信制御部１０３から入力する送信信号を送信周波数の信号に変調し、アンテナ１０１へ出力して送信する。
通信制御部１０３は、無線部１０２から入力した受信信号の復調処理と、主制御部１０４から入力した送信信号の変調処理とを行う。
これらアンテナ１０１や無線部１０２や通信制御部１０３は、携帯通信網やＷ−ＬＡＮ（無線ＬＡＮ、ワイヤレス・ローカル・エリア・ネットワーク）などによる通信を行なうための通信手段に相当する。
主制御部１０４は、プログラムメモリ１０５に記憶されたプログラムを実行して各部を制御する。
メモリ１０６は、通話、電子メール等を行う場合に使用されるデータに加え、本発明による録画管理のために使用される、ＥＰＧ番組管理データ２０６、録画予約管理テーブル２０７、キーワード予約管理テーブル２０８、天気情報管理データ２０９、その他の情報を記憶する。ＥＰＧ番組管理データ２０６は、ＥＰＧから予備番組を抽出するために使用される“休止”、“中止”等のキーワード情報である。録画予約管理テーブル２０７は、録画予約された番組の時間帯、チャンネル、番組タイトル、その他の管理情報を記憶する。キーワード予約管理テーブル２０８は、キーワード予約により録画予約された番組の時間帯、チャンネル、番組タイトル、その他の管理情報を記憶する。天気情報管理データ２０９は、地域別の天気情報である。ネットワークを介して、例えば、天気情報を提供するＷｅｂサーバからこの天気情報を取得し、保持する。
大容量メモリ１０７は、地図情報等の大容量のデータを記憶する。
【００２５】
操作部１０８は、図２を参照して説明した通りであり、操作に応じた信号を主制御部１０４に出力する。
主カメラ１０９、副カメラ１１０は、光学素子、撮像部、映像信号処理部を備え、被写体の像をデジタル信号に変換して主制御部１０４に出力する。
主表示部１１１、副表示部１１２は、主制御部１０４から入力する表示用の信号に基づいて画像、文字等を表示する液晶ディスプレイであるが、有機ＥＬ（エレクトロルミネセンス）ディスプレイあってもよく、これに限定されない。
振動部１１３は、ユーザが認識できる程度にモータにより振動を発生させる。
ＧＰＳ（Global Positioning System）部１１４は、ＧＰＳ衛星からの電波信号を受信し、地上における携帯端末１００の位置を求める。
音声処理部１１５は、マイク１１６から入力される音声信号をデジタル信号に変換して主制御部１０４に出力し、また、主制御部１０４からデジタルの音声信号を入力してアナログの音声信号に変換し、スピーカ１１７に出力して発音させる。
ＲＦＩＤ（Radio Frequency IDentification）リーダー１１８は、近距離の無線通信によって外部のタグに埋め込まれたＩＣチップのＩＤ情報を読み取る。
Ｉｒ送信部１１９、Ｉｒ受信部１２０は、赤外線を利用して外部の機器とデータ通信を行う。
インジケータ１２１は、例えば、光を発してユーザに認識させるＬＥＤ（発光ダイオード）であり、異なる色の複数のＬＥＤを用いて、携帯端末１００の処理状態に基づき場合分けしてユーザに通知する表示装置として用いることができる。インジケータ１２１は、携帯端末１００を折り畳んだ状態でもユーザが見ることができる位置に設けられており、折り畳んだ状態でユーザに情報を通知する表示装置として用いられる。
なお、ユーザの注意をひくために使用される振動部１１３、インジケータ１２１に代えて、または、これらに加えて、匂いを発生する匂い発生部を備えてもよい。匂いを発生するには、携帯端末１００の内部に複数の化学物質を保持し、これらを混合させる等、各種の既存技術を用いることができる。
時計部１２２は、計時機能を有しており、この時計部１２２から現在の日付、時刻を取得できる。
電池制御部１２３は電池１２４から電力の供給を受け、各部に電力を供給する。
その他、携帯端末１００は、例えばブルートゥース（登録商標）のような近距離無線通信技術を用いて、携帯端末１００と録画機器３００との間の近距離通信を行う機能を有することができる。
なお、以下で説明する実施形態においては、大容量メモリ１０７、主カメラ１０９、副カメラ１１０、ＧＰＳ部１１４、音声処理部１１５、マイク１１６、スピーカ１１７、ＲＦＩＤリーダー１１８は、本発明の説明において、特に使用しない。
【００２６】
ＥＰＧ取得部２０１、ＥＰＧ監視部２０２、予備番組検出部２０３、予約処理部２０４、録画制御部２０５は、本発明による録画管理に関する処理を行う。ＥＰＧ取得部２０１、ＥＰＧ監視部２０２、予備番組検出部２０３、予約処理部２０４、録画制御部２０５は、それぞれ、本発明における取得手段、監視手段、予備番組検出手段、予約処理手段、録画制御手段に対応する。
まず、ＥＰＧについて説明すると、ＥＰＧには、チャンネルごとに放送時間順に番組情報が掲載されており、各々の番組情報には、開始時刻、番組タイトル、内容、出演者などが含まれる。ＥＰＧは放送電波の隙間を使って送出されるので、これを受信してテレビ画面に表示することができる。また、Ｗｅｂサーバからインターネットを介してＥＰＧの提供も行われているので、インターネット端末またはその機能を統合したテレビにおいて取得し、表示することができる。
ＥＰＧ取得部２０１は、主制御部１０４、通信制御部１０３を介してネットワーク経由で外部のＷｅｂサーバにアクセスし、ＥＰＧを取得し、メモリ１０６に記憶させる。
ＥＰＧ監視部２０２は、ＥＰＧ取得部２０１が以前に取得し、メモリ１０６に記憶したＥＰＧと、新たに取得し、メモリ１０６に記憶したＥＰＧとを比較することにより、更新状況を監視する。
予備番組検出部２０３は、メモリ１０６に記憶されたＥＰＧから予備番組の時間帯、番組タイトルを抽出し、予備番組表を作成する。
予約処理部２０４は、主表示部１１１、操作部１０８によって提供されるユーザインタフェースを介して録画予約のための情報を受け付け、メモリ１０６の録画予約管理テーブル２０７に記憶させる。
録画制御部２０５は、録画機器３００に録画を指示するコマンドを生成し、そのコマンドを通信制御部１０３を介して録画機器３００に送信することにより録画機器３００を制御する。
図３に示すように、ＥＰＧ取得部２０１、ＥＰＧ監視部２０２、予備番組検出部２０３、予約処理部２０４、録画制御部２０５は、主制御部１０４の外部に設けられた処理装置としてもよいし、ＥＰＧ取得部２０１、ＥＰＧ監視部２０２、予備番組検出部２０３、予約処理部２０４、録画制御部２０５の機能を主制御部１０４に実行させるプログラムをプログラムメモリ１０５に記憶させ、主制御部１０４がこれらのプログラムを読み出し、これらの機能を実行する形態としてもよい。
【００２７】
次に、図４から図６を参照して、携帯端末１００の動作を説明する。図４から図６は、それぞれ、録画予約の処理フロー、番組変更監視の処理フロー、番組開始時刻以後の処理フローを示すフローチャートである。
携帯端末１００のＥＰＧ取得部２０１は、主制御部１０４、通信制御部１０３を介して、ＥＰＧを提供する所定のＷｅｂサーバにアクセスしてＥＰＧを取得し、メモリ１０６に記憶させる（ステップＳ１）。
次に、携帯端末１００の予備番組検出部２０３は、メモリ１０６に記憶されたＥＰＧから予備番組の時間帯、番組タイトルを検出する（ステップＳ２）。放送予定番組の中止がありうることが予め分かっている場合には、ＥＰＧには「中止のとき」などと記載して予備番組の番組情報も含めて掲載される。そこで、次のように処理を行う。図７はＥＰＧの一部分を例示する図である。
【００２８】
前述の通り、ＥＰＧには、チャンネルごとに放送時間順に番組情報が掲載されており、各々の番組情報には、開始時刻、番組タイトル、内容、出演者などが含まれる。図７では「高校野球」の欄を除いて番組情報の細部を省略した。ＥＰＧは構造化されていないテキストデータで提供されるので、時刻を示す部分（例えば、１つまたは２つの数字、「：」、２つの数字からなる部分）を検出し、時刻と時刻で区切られたブロックを１つの番組情報と認識し、先頭の時刻を開始時刻、それに続く文字列を番組タイトルとする。終了時刻は、次の番組の開始時刻とする。例えば、改行文字の直後に時刻がある場合に次の番組の開始時刻と認識することができる。そして、上記のように区切られた各番組情報について、ＥＰＧ番組管理データ２０６として記憶された“休止”、“中止”など、番組が放送されない場合があることを示すキーワードを検出し、それに続く時刻、番組タイトルを抽出することにより予備番組リストが作成される。例えば、図７の「高校野球」の番組情報から図８のような予備番組リストが作成される。
【００２９】
そして、予備番組検出部２０３は、予備番組のみの番組表（予備番組表）を作成し（ステップＳ３）、メモリ１０６に記憶させる。図９は予備番組表を主表示部１１１に表示した例であり、予備番組表は、ＥＰＧにおいて予備番組が掲載されている放送予定番組ごとに、放送予定番組のチャンネル、時間帯、番組タイトル、その放送予定番組が放送されない場合の予備番組リストが対応付けられている。
【００３０】
ユーザが操作部１０８を操作して、予備番組の録画予約のための操作を行うと、ステップＳ４に進み、ユーザに予備番組表を利用するか否かの選択を求めるメッセージが主表示部１１１に表示され、ユーザが利用することを選択した場合は、ステップＳ４の判定がＹｅｓとなり、ステップＳ５に進む。
主制御部１０４は、主表示部１１１に図９に示すような予備番組表を表示する。この画面において、ユーザが個々の予備番組を指定して録画予約する構成、あるいは、１つの放送予定番組に対する全ての予備番組を選択する構成が可能である。予約処理部２０４は、選択された予備番組の時間帯およびチャンネルをメモリ１０６の録画予約管理テーブル２０７に記憶させ、この録画予約のステータスを示すフラグをインアクティブ（番組開始時刻となっても録画の実行が可能でない状態）に設定する。
一方、予備番組表を利用するか否かの選択を求めるメッセージに対して、ユーザが利用しないことを選択した場合は、ステップＳ４の判定がＮｏとなり、ステップＳ６に進む。
主制御部１０４は、録画予約する予備番組の開始時刻および終了時刻、チャンネルをユーザに入力させるための表示を行う。録画予約の時間帯およびチャンネルが入力されると、予約処理部２０４はそれをメモリ１０６の録画予約管理テーブル２０７に記憶させ、この録画予約のステータスを示すフラグをインアクティブに設定する。
【００３１】
図１０、図１１は、予備番組の録画予約を行う２つの画面例を示す図である。これらは、ＥＰＧに予備番組が掲載されている放送予定番組（これらの例では「高校野球」）が選択された後に表示される。
【００３２】
図１０の画面例では、「直接時間を入力」、「予備番組表を使う」、「予備番組一括予約」のいずれかを選択できるようになっている。
ユーザが「直接時間を入力」を選択すると、主制御部１０４は、開始時刻および終了時刻の入力エリアを主表示部１１１に表示する。主制御部１０４は、ここで入力された開始時刻および終了時刻と、既に選択された放送予定番組「高校野球」のチャンネルとを、録画予約管理テーブル２０７に記憶させる。
ユーザが「予備番組表を使う」を選択すると、主制御部１０４は、既に選択された放送予定番組「高校野球」の予備番組の一覧を主表示部１１１に表示される。主制御部１０４は、ここで選択された予備番組の開始時刻および終了時刻と、既に選択された放送予定番組「高校野球」のチャンネルとを、録画予約管理テーブル２０７に記憶させる。
ユーザが「予備番組一括予約」を選択すると、主制御部１０４は、既に選択された放送予定番組「高校野球」の予備番組を全て録画予約する。すなわち、主制御部１０４は、既に選択された放送予定番組「高校野球」の開始時刻および終了時刻とチャンネルとを録画予約管理テーブル２０７に記憶させる。
【００３３】
図１１の画面例では、「直接時間を入力」の項目とともに開始時刻および終了時刻の入力エリアが表示されている。また、「予備番組表を使う」の項目とともに「高校野球」の予備番組一覧が表示されている。ユーザが「直接時間を入力」、「予備番組表を使う」を選択した場合の処理は、図１０を参照して説明した通りである。また、ユーザが図１１の「全て予約」を選択したときの動作は、図１０の「予備番組一括予約」を選択したときの動作と同じである。
なお、画面右下の「他機器へ」とは、ユーザが、家庭内に設置された録画機器３００、あるいは、録画機能を有する他の携帯機器に録画予約の情報を送信するときに使用し、主制御部１０４は、例えば、赤外線、電子メール等により、これらの外部の機器へ録画予約の情報を送信する。
【００３４】
図５は、図４を参照して説明した録画予約の処理フローに続いて行われる、放送開始までの間の番組変更監視の処理フローを示すフローチャートである。
携帯端末１００のＥＰＧ監視部２０２は、番組の変更状況を監視する（ステップＳ７）。具体的には、ＥＰＧ取得部２０１は、通信制御部１０３を介してＥＰＧを提供する所定のＷｅｂサーバにアクセスしてＥＰＧを取得し、メモリ１０６に記憶させる。そして、ＥＰＧ監視部２０２は、メモリ１０６に記憶されたＥＰＧを、以前に取得してメモリ１０６に記憶されたＥＰＧと比較することによって番組の変更があったか否かを判断する（ステップＳ８）。
そして、ＥＰＧ監視部２０２において番組の変更が検出されない場合は、ステップＳ８の判定結果がＮｏとなり、番組変更監視の処理フローを終了する。なお、録画予約管理テーブル２０７に記憶された番組の開始時刻より前ならば、ステップＳ７に戻って、繰り返し番組の変更の有無を確認してもよい。
一方、ステップＳ８の判定結果がＹｅｓならば、ステップＳ９に進み、予約ＥＰＧ監視部２０２は、録画予約管理テーブル２０７において該当する録画予約のステータスを示すフラグをアクティブ（番組開始時刻となった場合に録画の実行が可能な状態）に変更する。
次に、ステップＳ１０において、録画予約のステータスがアクティブに変更されたものが存在することをユーザに通知する。例えば、番組の変更内容を主表示部１１１または副表示部１１２に文字で表示する（表示例として、主表示部１１１に図１２の符号９０１で示す表示を行うか、副表示部１１２にこれを簡略化した表示を行う）、あるいは、振動部１１３を動作させてバイブレーションを起こす、あるいは、前述した匂い発生部（図示しない）を備える場合には、これを動作させて匂いを発生させる、という処理のいずれか１つ、または組み合わせて実行することが可能である。
【００３５】
図６は、図５を参照して説明した番組変更監視の処理フローに続いて行われる、番組開始時刻以後の処理フローを示すフローチャートである。
録画制御部２０５は、時計部１２２から日付、時刻の情報を取得することにより、録画予約管理テーブル２０７に記憶されたいずれかの番組の開始時刻が到来したことを認識すると、録画予約管理テーブル２０７において、その番組の録画予約のステータスを示すフラグがアクティブであるか否か判定する（ステップＳ１１）。判定結果がＮｏの場合はステップＳ１２に進み、録画予約管理テーブル２０７から、その番組の録画予約を削除する。
そして、ステップＳ１３において、放送予定番組が予定通り放送された（予備番組は放送されなかった）ために、予備番組の録画予約が削除されたことをユーザに通知する（表示例として図１２の符号９０３で示すもの）。
なお、図１２の符号９０２の表示例は、ステップＳ１２において予備番組の録画予約を削除する前に表示される。操作部１０８のキー「１」が押下されると「１．削除する」が選択され、放送されなかった予備番組の録画予約が録画予約管理テーブル２０７から削除される。操作部１０８のキー「２」が押下されると「２．番組名で予約を行う」が選択され、予定通り放送された番組の時間帯以後に、放送されなかった予備番組の番組タイトルでキーワード予約が行われる。これは、放送されなかった予備番組が放送される次の機会があるときに、その番組を録画するために使用される。
一方、ステップＳ１１における判定結果がＹｅｓの場合はステップＳ１４に進み、録画制御部２０５は、録画予約に従って録画機器３００に録画の実行を指示する。例えば、録画制御部２０５は、Ｉｒ送信部１１９を介して録画機器３００に録画の実行を指示するコマンドを送信する、あるいは、通信制御部１０３を介して録画機器３００に録画の実行を指示するコマンドを含む電子メールを送信する。
【００３６】
そして、図５を参照して説明した番組変更監視を番組放送中にも行う。これにより、予備番組の放送中にさらに番組が変更された場合にも対応することが可能となる。ステップＳ１５、Ｓ１６における処理は、図５を参照して説明したステップＳ７、Ｓ８と同様である。そして、ステップＳ１６において判定結果がＮｏならば、ステップＳ１７へ進み、録画機器３００から録画が完了したことを示すメッセージを受信していなければステップＳ１５に戻り、受信していればステップＳ１８に進む。ステップＳ１８において、主制御部１０４は、予備番組が放送され録画が番組終了まで実行されたことを示す文字を主表示部１１１に表示する。一方、ステップＳ１６の判定結果がＹｅｓならば、ステップＳ１９に進む。ステップＳ１９において、主制御部１０４は、予備番組が放送され録画が実行されたが放送中に番組が変更されたので録画が中断されたことを示す文字を主表示部１１１に表示する。
【００３７】
以上の処理によれば、放送予定番組の時間帯に複数の予備番組が用意されており、この複数の予備番組の中から録画予約する予備番組を選択した場合には、次のように予備番組の録画が行われる。例えば、図１３に示すように、放送予定番組として１２：００から１７：００まで「高校野球」の放送が予定され、その予備番組として１２：００から１５：００まで「旅行番組」、１５：００から１６：００まで「音楽番組」、１６：００から１７：００まで「ニュース」が用意されているとし、ユーザは携帯端末１００から「音楽番組」を録画予約したとする。このようなケースでは、録画機器３００は、予備番組である「音楽番組」が放送される場合にはこれを録画し、他の録画予約されていない予備番組である「旅行番組」、「ニュース」は録画せず、「音楽番組」が放送されない場合には１２：００から１７：００にわたって「高校野球」を録画しない。すなわち、放送予定番組の時間帯に複数の予備番組が対応する場合であって、複数の予備番組のうち録画予約された予備番組が放送される場合には、その予備番組を録画し、他の録画予約されていない予備番組は録画せず、録画予約された予備番組が放送されない場合には、放送予定番組の全ての時間帯にわたって録画しない。
【００３８】
次に、図１４から図１７を参照して、上述した携帯端末１００と録画機器３００との間の通信シーケンスを説明する。携帯端末１００と録画機器３００はネットワークを介して通信する。すなわち、この録画機器３００は、ネットワークを介して通信するための機能、例えば、電子メールを使用してコマンドまたはメッセージの送受信を行い、そのコマンドに従って録画動作を制御し、処理のステータスまたは結果をメッセージとして通知する機能を備える。また、録画機器３００は、ハードディスク等の記憶媒体に録画する機器を想定し、録画予約が発生したときに録画に必要な記憶領域を確保する。
【００３９】
図１４は、番組の変更がある場合のネットワーク通信による携帯端末と録画機器との間の通信シーケンスを示すシーケンス図である。
図４を参照して説明した録画予約の処理が行われると（ステップＳ１０１）、選択された予備番組の時間帯およびチャンネルの情報が予約データとして家庭内に設置された録画機器３００に送信される。録画機器３００は、受信した予約データに含まれる時間帯の情報から録画に必要な記憶エリアを確保し、確保したことを示すメッセージを携帯端末１００に送信する。携帯端末１００は、ステップＳ１０３において、図５を参照して説明した番組変更監視の処理を行う。なお、図５のステップＳ７において、携帯端末１００のＥＰＧ取得部２０１が通信制御部１０３を介してＥＰＧを提供する所定のＷｅｂサーバにアクセスしてＥＰＧを取得するのではなく、家庭内の録画機器３００が放送電波から取得したＥＰＧを、ネットワークを介して携帯端末１００に送信してＥＰＧの変更を監視する形態も可能である。ステップＳ１０４は、図５のステップＳ８で番組の変更があったと判定した場合を示す。ステップＳ１０５は、図５のステップＳ１０において、番組の変更内容を主表示部１１１に文字で表示する場合に対応し、携帯端末１００は、図６のステップＳ１４で説明した通り、録画機器３００に録画の実行を指示するコマンドを含む電子メールを送信する。ステップＳ１０６において、録画機器３００は、録画予約の内容に従い録画を実行し、録画が完了すると、完了したことを通知するメッセージを携帯端末１００に送信する。携帯端末１００は、このメッセージを受信すると図６のステップＳ１７の判定がＹｅｓとなり、ステップＳ１８の通り録画が完了したことをユーザに通知する表示を行う。
【００４０】
図１５は、番組の変更がない場合のネットワーク通信による携帯端末と録画機器との間の通信シーケンスを示すシーケンス図である。すなわち、ステップＳ２０１からＳ２０３までは図１４のステップＳ１０１からＳ１０３までと同じであるが、番組の変更がなく、図６のステップＳ８において判定結果がＮｏとなった場合の通信シーケンスを示す。ステップＳ２０４において、携帯端末１００は番組の変更がないことを認識する。そして、ステップＳ２０５において、主表示部１１１に、図６のステップＳ１３の説明で例示した図１２の符号９０２の表示がされ、ユーザが「２．番組名で予約を行う」を選択する。すると、録画機器３００にキーワード予約を指示するコマンドが送信され、録画機器３００においてキーワード予約が行われる（ステップＳ２０６）。キーワード予約の内容はキーワード予約管理テーブル２０８に記憶され、録画機器３００から携帯端末１００に予約完了を示すメッセージが通知され、携帯端末１００は主表示部１１１に、予約完了の表示を行う（ステップＳ２０７）。
【００４１】
図１６は、図１４におけるネットワーク通信に代えて近距離通信を採用した場合の通信シーケンスを示すシーケンス図である。近距離通信は、例えば、赤外線通信やブルートゥース（登録商標）が用いられる。ステップＳ３０１は、図１４のステップＳ１０１と同じである。ステップＳ３０２では、携帯端末１００から指定した録画時間のための録画エリアは必ず確保されることを前提とし、録画エリアを確保したことを示すメッセージを録画機器３００から携帯端末１００に送信しない。ステップＳ３０３、Ｓ３０４は、図１４のステップＳ１０３、Ｓ１０４と同じである。ステップＳ３０５において、携帯端末１００は、録画機器３００との近距離無線の通信圏に入ったことを認識する。ステップＳ３０６において、主制御部１０４は番組の変更内容を主表示部１１１に表示するとともに、予備番組の録画を実行するか否かユーザに選択を求める表示を行い、ユーザが録画の実行を選択すると、予備番組の録画を指示するコマンドを録画機器３００に送信する。ステップＳ３０７において、録画機器３００は、録画予約に従い録画を実行する。録画機器３００は、録画が完了すると、完了したことを通知するメッセージを携帯端末１００に送信する。ステップＳ３０８はステップＳ１０７と同じである。
【００４２】
図１７は、図１５におけるネットワーク通信に代えて近距離通信を採用した場合の通信シーケンスを示すシーケンス図である。ステップＳ４０１は、図１５のステップＳ２０１と同じである。ステップＳ４０２では、携帯端末１００から指定した録画時間のための録画エリアは必ず確保されることを前提とし、録画エリアを確保したことを示すメッセージを録画機器３００から携帯端末１００に送信しない。ステップＳ４０３、Ｓ４０４は、図１５のステップＳ２０３、Ｓ２０４と同じである。ステップＳ４０５において、携帯端末１００は、録画機器３００との近距離無線の通信圏に入ったことを認識する。ステップＳ４０６からＳ４０８は図１５のステップＳ２０５からＳ２０７と同じである。
【００４３】
以上の通り、第１の実施形態では、予備番組が録画予約されている場合、ＥＰＧの変更を監視し、予備番組が放送される場合に録画を実行するので、時間帯を指定して録画予約でき、自分の好きな予備番組だけを予約することができる。また、携帯電話機を用いて録画予約する場合、携帯電話用に放送電波で提供されるＥＰＧは現在から５時間先までの番組しか表示されない仕様となっている。したがって、そのＥＰＧの中から録画予約する番組を選択する場合、選択可能な範囲が限られているが、ＥＰＧまたはＥＰＧから作成した予備番組表を使用せずに時間帯およびチャンネルを指定して録画予約する場合には指定可能な範囲に制限はなく、また、新聞の番組欄、または、Ｗｅｂサーバから提供されるＥＰＧを見て録画予約することも可能である。
【００４４】
［第２の実施形態］
次に、図１８を参照して本発明の第２の実施形態を説明する。この実施形態において用いられる機器の接続構成は、図１を参照して説明したのと同様である。すなわち、携帯端末１００は、ネットワーク７００を介して家庭内に設置された録画機器３００と通信を行う。録画機器３００は、例えば、家庭用ＰＣ（パーソナルコンピュータ）またはサーバ、ＨＤＤ（ハードディスクドライブ）レコーダ、ＶＴＲ（ビデオテープレコーダ）であって、以下で図１８を参照して説明する構成を有する。また、携帯端末１００は、ネットワーク７００を介して各種情報を提供するＷｅｂサーバ５００にアクセスし、情報を取得する。ユーザが携帯端末１００を所持して録画機器３００の近くにいる場合など、携帯端末１００と録画機器３００との間で近距離通信が可能であれば、図１に点線で示すように、ネットワークを経由せずに通信してもよい。
しかし、この実施形態においては録画管理に関する機能の配置が異なり、録画機器３００は、図３に示した携帯端末１００の録画管理に関する主な部分を搭載し、携帯端末１００は主に録画管理のためのユーザインタフェースの役割を果たす。
【００４５】
図１８は、第２の実施形態における録画機器の構成を示す図である。 
チューナー３０２は、アンテナ３０１が受信した電波から目的とする周波数の電波を選択し、映像、音声を再生する。記録・再生部３０３は、映像、音声の記録、再生を行う。記録メディアは、テープ、ＨＤＤ、ＤＶＤ（デジタルビデオディスク）等を含む各種メディアを採用することが可能である。通信制御部３０４は、ネットワーク７００を介して外部の機器と通信する。主制御部３０５は、プログラムメモリ３０６に記憶されたプログラムを実行して各部を制御する。メモリ３０７は、本発明による録画管理のために使用される、録画予約管理テーブル２０７、キーワード予約管理テーブル２０８、その他の情報を記憶する。Ｉｒ送信部３０８、Ｉｒ受信部３０９は、赤外線を利用して外部の機器とデータ通信を行う。その他、録画機器３００は、例えばブルートゥース（登録商標）のような近距離無線通信技術を用いて、携帯端末１００と録画機器３００との間の近距離通信を行う機能を有することができる。
さらに、録画機器３００は、図３に示したＥＰＧ取得部２０１、ＥＰＧ監視部２０２、予備番組検出部２０３、予約処理部２０４、録画制御部２０５、ＥＰＧ番組管理データ２０６、録画予約管理テーブル２０７、キーワード予約管理テーブル２０８のうち、ＥＰＧ取得部２０１、ＥＰＧ監視部２０２、予約処理部２０４、録画制御部２０５、録画予約管理テーブル２０７、キーワード予約管理テーブル２０８を備える。
なお、図１８に示すように、ＥＰＧ取得部２０１、ＥＰＧ監視部２０２、予約処理部２０４、録画制御部２０５は、主制御部３０５の外部に設けられた処理装置としてもよいし、ＥＰＧ取得部２０１、ＥＰＧ監視部２０２、予約処理部２０４、録画制御部２０５の機能を主制御部３０５に実行させるプログラムをプログラムメモリ３０６に記憶させ、主制御部３０５がこれらのプログラムを読み出し、これらの機能を実行する形態としてもよい。
【００４６】
一方、この実施形態において、携帯端末１００は、図３に示したＥＰＧ取得部２０１、ＥＰＧ監視部２０２、予備番組検出部２０３、予約処理部２０４、録画制御部２０５、ＥＰＧ番組管理データ２０６、録画予約管理テーブル２０７、キーワード予約管理テーブル２０８のうち、ＥＰＧ取得部２０１、予備番組検出部２０３、ＥＰＧ番組管理データ２０６を備える。
なお、携帯端末１００と録画機器３００は、双方ともＥＰＧ取得部２０１を備える。
なお、録画機器３００に予備番組検出部２０３、ＥＰＧ番組管理データ２０６、表示部、操作部をさらに備え、録画機器３００において録画予約のための情報入力、録画の予約および実行に関する処理状態の表示も併せて行ってもよい。
【００４７】
図１９は、第２の実施形態において、番組の変更がある場合のネットワーク通信による携帯端末と録画機器との間の通信シーケンスを示すシーケンス図である。
図４を参照して説明した録画予約の処理が行われるが、ステップＳ５、Ｓ６の処理が異なり、録画予約のための予備番組の時間帯およびチャンネルが指定されると（ステップＳ５０１）、その情報が予約データとして家庭内に設置された録画機器３００に送信される。
録画機器３００は、ステップＳ５０２において、受信した予約データの内容を録画予約管理テーブル２０７に記憶する。録画機器３００は放送電波からＥＰＧを取得するが、例えば、地上デジタル放送のＥＰＧのように、番組ごとに固有のＩＤ番号（以下「番組ＩＤ」という。）が割り振られ、その番組ＩＤにより番組を識別することができる場合には、録画予約する番組ＩＤをＥＰＧから抽出し、録画予約管理テーブル２０７に記憶する。さらに、録画予約管理テーブル２０７において、この録画予約のステータスを示すフラグをインアクティブに設定する。
次に、録画機器３００は、図５を参照して説明した番組変更監視の処理を行う（ステップＳ５０３）が、図５のステップＳ７において、録画機器３００が放送電波からＥＰＧを取得する点と、上記の番組ＩＤを使用してＥＰＧの変更状況を監視する点が異なる。ステップＳ５０４は、図５のステップＳ８で番組の変更があったと判定した場合に対応する。録画機器３００は、番組が変更されたことを通知するメッセージを携帯端末１００に送信する。
携帯端末１００は、番組の変更内容を主表示部１１１に文字で表示する（ステップＳ５０５）。図１２の符号９０４はその表示例を示す。
録画機器３００は、録画予約に従って録画を実行し（ステップＳ５０６）、録画が完了すると、完了したことを通知するメッセージを携帯端末１００に送信する。携帯端末１００は、このメッセージを受信すると主表示部１１１に表示する（ステップＳ５０７）。
【００４８】
図２０は、第２の実施形態において、番組の変更がない場合のネットワーク通信による携帯端末と録画機器との間の通信シーケンスを示すシーケンス図である。
ステップＳ６０１からＳ６０３は、図１９のステップＳ５０１からＳ５０３と同じである。ステップＳ６０４は、図５のステップＳ８で番組の変更がないと判定した場合に対応する。ステップＳ６０５は、図６のステップＳ１１で予備番組の録画予約がアクティブになっていないと判定し、図６のステップＳ１２に進んだ場合に対応する。録画機器３００は、放送予定番組が開始されることを通知するメッセージ、および、録画予約していたが放送されなかった予備番組の番組タイトルをキーワードとしてキーワード予約を行うかをユーザに問い合わせるメッセージを携帯端末１００に送信する。
携帯端末１００は、受信したメッセージを主表示部１１１に文字で表示する（ステップＳ６０６）。ユーザが操作部１０８を操作してキーワード予約を指示すると、携帯端末１００は、キーワード予約を指示するコマンドを録画機器３００に送信する。録画機器３００はこれを受信すると指示に従ってキーワード予約を行う（ステップＳ６０７）。
【００４９】
図２１は、図１９を参照して説明した携帯端末と録画機器との間のネットワーク通信を近距離通信に置き換えた場合の通信シーケンスを示すシーケンス図である。
ユーザは家庭内に設置された録画機器３００と近距離通信可能な位置で携帯端末１００を操作する。図４を参照して説明した録画予約の処理が行われるが、ステップＳ５、Ｓ６の処理が異なり、録画予約のための予備番組の時間帯およびチャンネルが指定されると（ステップＳ７０１）、その情報が予約データとして録画機器３００に送信される。
録画機器３００は、ステップＳ７０２において、受信した予約データの内容を録画予約管理テーブル２０７に記憶する。録画機器３００は放送電波からＥＰＧを取得するが、例えば、地上デジタル放送のＥＰＧのように、番組ごとに番組ＩＤが割り振られ、その番組ＩＤにより番組を識別することができる場合には、録画予約する番組ＩＤをＥＰＧから抽出し、録画予約管理テーブル２０７に記憶する。さらに、録画予約管理テーブル２０７において、この録画予約のステータスを示すフラグをインアクティブに設定する。
次に、録画機器３００は、図５を参照して説明した番組変更監視の処理を行う（ステップＳ７０３）が、図５のステップＳ７において、録画機器３００が放送電波からＥＰＧを取得する点と、上記の番組ＩＤを使用してＥＰＧの変更状況を監視する点が異なる。ステップＳ７０４は、図５のステップＳ８で番組の変更があったと判定した場合に対応する。録画機器３００は、番組が変更されたことを通知するメッセージを携帯端末１００に送信する。
録画機器３００は、録画予約に従って録画を実行する（ステップＳ７０５）。録画が完了したときに、ユーザは携帯端末１００を所持して外出している場合もありうるので、携帯端末１００が録画機器３００の通信圏に存在するとは限らない。録画機器３００は、携帯端末１００が通信圏に入ったことを認識すると（ステップＳ７０６）、録画が完了したことを通知するメッセージを携帯端末１００に送信する。携帯端末１００は、このメッセージを受信すると主表示部１１１に表示する（ステップＳ７０７）。
【００５０】
図２２は、図２０を参照して説明した携帯端末と録画機器との間のネットワーク通信を近距離通信に置き換えた場合の通信シーケンスを示すシーケンス図である。
ステップＳ８０１からＳ８０３は、図２１のステップＳ７０１からＳ７０３と同じである。ステップＳ８０４は、図５のステップＳ８で番組の変更がないと判定した場合に対応する。ステップＳ８０５は、図６のステップＳ１１で予備番組の録画予約がアクティブになっていないと判定し、図６のステップＳ１２に進んだ場合に対応する。このときに、ユーザは携帯端末１００を所持して外出している場合もありうるので、携帯端末１００が録画機器３００の通信圏に存在するとは限らない。録画機器３００は、携帯端末１００が通信圏に入ったことを認識すると（ステップＳ８０６）、放送予定番組が開始されることを通知するメッセージ、および、録画予約していたが放送されなかった予備番組の番組タイトルをキーワードとしてキーワード予約を行うかをユーザに問い合わせるメッセージを携帯端末１００に送信する。
携帯端末１００は、受信したメッセージを主表示部１１１に文字で表示する（ステップＳ８０７）。ユーザが操作部１０８を操作してキーワード予約を指示すると、携帯端末１００は、キーワード予約を指示するコマンドを録画機器３００に送信する。録画機器３００はこれを受信すると指示に従ってキーワード予約を行う（ステップＳ８０８）。
【００５１】
以上の通り、第２の実施形態では、第１の実施形態において携帯端末１００に設けていた処理手段の一部を録画機器３００に設ける構成としたため、携帯端末１００に必要とされる処理の負荷を軽減することができる。
【００５２】
図２３から図２５は、上述したいずれの実施形態においても適用可能な携帯端末１００の主表示部１１１の表示例であり、図２３は予備番組リストとともに天気情報を表示する例、図２４、図２５はＥＰＧとともに天気情報を表示する例を示す図である。
携帯端末１００の予備番組検出部２０３は、ＥＰＧにおいて予備番組が掲載されている放送予定番組について、その放送予定番組の番組情報から地域を示す情報を検出し、天気情報管理データ２０９からその地域の天気情報を取得して表示する。上述した通り、天気情報管理データ２０９の天気情報は、ネットワークを介して取得したものである。
また、番組情報に地域を示す情報そのものは掲載されず、例えば施設名（例えば、野球中継の場合に「甲子園球場」）が記載されている場合にも対応できるように、施設名とその所在地とを対応させる情報を提供するＷｅｂサーバを設け、そのＷｅｂサーバにアクセスして地域を特定する手段を携帯端末１００に備える形態も可能である。
【００５３】
図２３は、選択された放送予定番組の番組情報から検出された地域（例えば、野球、サッカーなどの中継ならば中継が行われる地域）の天気情報が画面左側に表示される例である。図２４は、ＥＰＧを使用して放送予定番組を選択すると、予備番組が掲載されている場合には、その放送予定番組の番組情報から検出された地域の天気情報が画面右側に表示される例である。図２５は、ＥＰＧにおいて予備番組が掲載されている放送予定番組の表示領域内に、その放送予定番組の番組情報から検出された地域の天気情報を表示する例である。このように放送予定番組とともに天気情報を表示することにより、ユーザは放送予定番組が中止となり予備番組が放送される期待度を把握することができる。
【００５４】
また、図３におけるＥＰＧ取得部２０１、ＥＰＧ監視部２０２、予備番組検出部２０３、予約処理部２０４、録画制御部２０５の機能を実現するためのプログラムをコンピュータ読み取り可能な記録媒体に記録して、この記録媒体に記録されたプログラムをコンピュータシステムに読み込ませ、実行することによりこれらの処理を行ってもよい。なお、ここでいう「コンピュータシステム」とは、ＯＳや周辺機器等のハードウェアを含むものとする。
【００５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００５７】
【図１】本発明による録画システムの構成を示す図である。
【図２】携帯端末の外観図である。
【図３】第１の実施形態による携帯端末の構成を示すブロック図である。
【図４】録画予約の処理フローを示すフローチャートである。
【図５】番組変更監視の処理フローを示すフローチャートである。
【図６】番組開始時刻以後の処理フローを示すフローチャートである。
【図７】ＥＰＧの一部分を例示する図である。
【図８】予備番組リストを例示する図である。
【図９】予備番組表の表示例を示す図である。
【図１０】予備番組の予約画面の他の例を示す図である。
【図１１】予備番組の予約画面の他の例を示す図である。
【図１２】放送予定番組が変更された場合の表示例を示す図である。
【図１３】予備番組の録画を予約し、録画が実行される例を示す図である。
【図１４】番組の変更がある場合のネットワーク通信による携帯端末と録画機器との間の通信シーケンスを示すシーケンス図である。
【図１５】番組の変更がない場合のネットワーク通信による携帯端末と録画機器との間の通信シーケンスを示すシーケンス図である。
【図１６】番組の変更がある場合の近距離通信による携帯端末と録画機器との間の通信シーケンスを示すシーケンス図である。
【図１７】番組の変更がない場合の近距離通信による携帯端末と録画機器との間の通信シーケンスを示すシーケンス図である。
【図１８】第２の実施形態による録画機器の構成を示す図である。
【図１９】番組の変更がある場合のネットワーク通信による携帯端末と録画機器との間の通信シーケンスを示すシーケンス図である。
【図２０】番組の変更がない場合のネットワーク通信による携帯端末と録画機器との間の通信シーケンスを示すシーケンス図である。
【図２１】番組の変更がある場合の近距離通信による携帯端末と録画機器との間の通信シーケンスを示すシーケンス図である。
【図２２】番組の変更がない場合の近距離通信による携帯端末と録画機器との間の通信シーケンスを示すシーケンス図である。
【図２３】予備番組リストとともに天気情報を表示する例を示す図である。
【図２４】ＥＧＰとともに天気情報を表示する例を示す図である。
【図２５】ＥＧＰとともに天気情報を表示する例を示す図である。
【符号の説明】
【００５８】
１００  携帯端末
２０１  ＥＰＧ取得部
２０２  ＥＰＧ監視部
２０３  予備番組検出部
２０４  予約処理部
２０５  録画制御部
２０６  ＥＰＧ番組管理データ
２０７  録画予約管理テーブル
２０８  キーワード予約管理テーブル
２０９  天気情報管理データ
３００  録画機器
５００  Ｗｅｂサーバ
７００  ネットワーク
【図１】
2009105671.tif 000003
【図２】
2009105671.tif 000004
【図３】
2009105671.tif 000005
【図４】
2009105671.tif 000006
【図５】
2009105671.tif 000007
【図６】
2009105671.tif 000008
【図７】
2009105671.tif 000009
【図８】
2009105671.tif 000010
【図９】
2009105671.tif 000011
【図１０】
2009105671.tif 000012
【図１１】
2009105671.tif 000013
【図１２】
2009105671.tif 000014
【図１３】
2009105671.tif 000015
【図１４】
2009105671.tif 000016
【図１５】
2009105671.tif 000017
【図１６】
2009105671.tif 000018
【図１７】
2009105671.tif 000019
【図１８】
2009105671.tif 000020
【図１９】
2009105671.tif 000021
【図２０】
2009105671.tif 000022
【図２１】
2009105671.tif 000023
【図２２】
2009105671.tif 000024
【図２３】
2009105671.tif 000025
【図２４】
2009105671.tif 000026
【図２５】
2009105671.tif 000027